(57)【特許請求の範囲】
【請求項１】
高所または遠隔箇所に排出タンクを設置し、該排出タンクに連通された吸入パイプを介して地上側などに仮設可能にトラックに搭載された真空吸引装置によって前記排出タンク内を減圧すると共に、前記排出タンクの底部に設けられた上端開設面と両側面形状が長方形で、且つ正面と背面形状が三角形の下端に向けてＶ字形に上端を開設し、外観を五面体の三角柱形状に形成された下端開口の両側縁から夫々板状のシート弁が導下垂設されるシート体を内装した開閉蓋の両側に回動自在に設けられた観音開状の側板が、該排出タンク内の減圧によってＶ字状に前記内装のシート体下端の開口を両側から前記シート弁が垂下するよう均等に挾持して閉塞する一方、前記排出タンクに連通された吸引パイプを介して供給された土壌改良材に前記排出タンク内の減圧による吸引力を及ぼすことにより前記排出タンク内に前記土壌改良材を吸い上げた後、前記トラックに搭載された真空吸引装置の操作によって前記排出タンク内の減圧を回復することにより、該排出タンクのＶ字状に挾持された観音開状の開閉蓋の両側板が自重または排出タンク内に蓄積される土壌改良材の重量によって開放されて前記シート体下端の開口部が開かれることで、該排出タンク内に蓄積された土壌改良材を排出することを特徴とする土壌改良材の移送方法。
【請求項２】
粉体状の土壌改良材を高所または遠隔箇所に設置された排出タンクに移送し、この排出タンクに貯留された土壌改良材を排出することにより該土壌改良材を高所または遠隔箇所に移送するようにした土壌改良材の移送装置であって、前記排出タンクには前記地上側などに仮設可能にトラックに搭載された真空吸引装置に連結された吸入パイプと前記土壌改良材に導かれた吸引パイプとが接続されると共に、該排出タンクは底部に上端開設面と両側面形状が長方形で、且つ正面と背面形状が三角形の下端に向けてＶ字形に上端を開設し、外観を五面体の三角柱形状に形成された下端開口の両側縁から夫々板状のシート弁が導下垂設されるシート体を内装した開閉蓋の両側に回動自在に設けられた観音開状の側板を有し、前記トラックに搭載された真空吸引装置の作動に応じて前記排出タンク内が減圧されることにより前記開閉蓋の観音開状の側板がＶ字状に前記内装のシート体下端の開口を両側から前記シート弁が垂下するよう均等に挾持して閉塞される一方、前記排出タンク内の減圧が回復することにより前記Ｖ字状に挾持された観音開状の開閉蓋の両側板が自重または排出タンク内に蓄積される土壌改良材の重量によって開放されて前記シート体下端の開口部が開かれることにより、前記排出タンク内に蓄積された土壌改良材を排出するようにしたことを特徴とする土壌改良材の移送装置。
【発明の詳細な説明】
【０００１】
【発明の属する技術分野】
本発明は、例えば、屋上緑化を行うために建物の屋上に土壌改良材を搬入するようにした土壌改良材の移送方法及びその装置に関するものである。
【０００２】
【従来の技術】
屋上緑化を行う場合、土壌改良材を屋上まで搬入する必要がある。そのために従来から、土壌改良材をクレーンや仮設エレベータを用いて搬入することが行われているが、このようなクレーンや仮設エレベータを用いる場合、他の建築工事との工程を調整する必要があり、また他の建築資材や建物の周辺事情によってクレーンの設置場所を確保することが困難となる場合がある。
【０００３】
ところで、コンクリート等の流体を搬送する場合は、プランジャー式ポンプによって地上に押し上げることが可能であるが、土壌改良材は粉体であるため、空気の混入量が多く、プランジャー式ポンプを用いた場合には、移送中に圧縮されてパイプ内を閉塞してしまうことが知られている。
【０００４】
従って、土壌改良材のような粉体を圧送するには、ブロア（送風機）によって移動するパイプ内の空気の流れに乗せて移送するのが効果的であるが、土粒子が固まりで移動する場合、ブロアだけでは固まりの重さが影響するため、ある程度のバキューム（真空吸引圧）が必要となる。
【０００５】
なお、上記の土壌改良材の移送は、土壌改良材を地上から建物の高所へ移送する場合のほか、ダンプカー等の搬送手段の進入不可能な遠隔箇所またはクレーン等が届かない高所または遠隔箇所への移送にも同様に問題となるものである。
【０００６】
【発明が解決しようとする課題】
本発明は以上のような事情に鑑みてなされたもので、クレーンや仮設エレベータ等によらず、粉体状の土壌改良材をパイプ内の空気の移動によって高所または遠隔箇所へ移送するようにした土壌改良材の移送方法及びその装置を提供することを目的とする。
【０００７】
【課題を解決するための手段】
上記の課題を解決するために、本発明の土壌改良材の移送方法は、高所または遠隔箇所に排出タンクを設置し、該排出タンクに連通された吸入パイプを介して地上側などに仮設可能にトラックに搭載された真空吸引装置によって前記排出タンク内を減圧すると共に、前記排出タンクの底部に設けられた上端開設面と両側面形状が長方形で、且つ正面と背面形状が三角形の下端に向けてＶ字形に上端を開設し、外観を五面体の三角柱形状に形成された下端開口の両側縁から夫々板状のシート弁が導下垂設されるシート体を内装した開閉蓋の両側に回動自在に設けられた観音開状の側板が、該排出タンク内の減圧によってＶ字状に前記内装のシート体下端の開口を両側から前記シート弁が垂下するよう均等に挾持して閉塞する一方、前記排出タンクに連通された吸引パイプを介して供給された土壌改良材に前記排出タンク内の減圧による吸引力を及ぼすことにより前記排出タンク内に前記土壌改良材を吸い上げた後、前記トラックに搭載された真空吸引装置の操作によって前記排出タンク内の減圧を回復することにより、該排出タンクのＶ字状に挾持された観音開状の開閉蓋の両側板が自重または排出タンク内に蓄積された土壌改良材の重量によって開放されて前記シート体下端の開口部が開かれることで、該排出タンク内に蓄積された土壌改良材を排出することを特徴とする。
【０００８】
また、本発明の土壌改良材の移送装置は、粉体状の土壌改良材を高所または遠隔箇所に設置された排出タンクに移送し、この排出タンクに貯留された土壌改良材を排出することにより該土壌改良材を高所または遠隔箇所に移送するようにした土壌改良材の移送装置であって、前記排出タンクには前記地上側などに仮設可能にトラックに搭載された真空吸引装置に連結された吸入パイプと前記土壌改良材に導かれた吸引パイプとが接続されると共に、該排出タンクは底部に上端開設面と両側面形状が長方形で、且つ正面と背面形状が三角形の下端に向けてＶ字形に上端を開設し、外観を五面体の三角柱形状に形成された下端開口の両側縁から夫々板状のシート弁が導下垂設されるシート体を内装した、開閉蓋の下端両側に回動自在に設けられた両側板を有し、前記トラックに搭載された真空吸引装置の作動に応じて前記排出タンク内が減圧されることにより前記開閉蓋の観音開状の側板がＶ字状に前記内装のシート体下端の開口を両側から前記シート弁が垂下するよう均等に挾持して閉塞される一方、前記排出タンク内の減圧が回復することにより前記Ｖ字状に挾持された観音開状の開閉蓋の側板が自重または排出タンク内に蓄積される土壌改良材の重量によって開放されて前記シート体下端の開口部が開かれることにより、前記排出タンク内に蓄積された土壌改良材を排出するようにしたことを特徴とする。
【０００９】
【発明の実施の形態】
以下、本発明の実施例について図面を参照しながら説明する。
【００１０】
本発明の土壌改良材の移送方法は、図１に示すように、屋上４等の高所または遠隔箇所に排出タンク３を設置し、該排出タンク３に連通された吸入パイプ１２を介して地上２側に仮設可能にトラック５に搭載された真空吸引装置６によって排出タンク３内を減圧すると共に、排出タンク３の底部に設けられた上端開設面と両側面形状が長方形で、且つ正面と背面形状が三角形の下端に向けてＶ字形に上端を開設し、外観を五面体の三角柱形状に形成された下端開口１８の両側縁から板状のシート弁１９、１９が導下垂設されるシート体１７を内装した開閉蓋１３の両側に回動自在に設けられた観音開状の側板１５、１５が、該排出タンク３内の減圧によってＶ字状に前記内装のシート体１７下端の開口１８を両側から前記シート弁１９、１９が垂下するよう均等に挾持して閉塞する一方、排出タンク３に連通された吸引パイプ９を介して地上２側に供給された土壌改良材１に排出タンク３内の減圧による吸引力を及ぼすことにより排出タンク３内に土壌改良材１を吸い上げた後、地上２側のトラック５に搭載された真空吸引装置６の操作によって排出タンク３内の減圧を回復することにより、該排出タンク３のＶ字状に挾持された観音開状の開閉蓋１３の側板１５、１５が自重または排出タンク３内に蓄積された土壌改良材１の重量によって開放されて前記シート体１７下端の開口１８部が開かれることで、該排出タンク３内に蓄積された土壌改良材１を排出するようにしている。
【００１１】
このような土壌改良材の移送方法を実現する装置について詳細に述べると、図１に示すように、建築物の屋上４等の高所に排出タンク３を設置する。また、土壌改良材１を搬入することができる地上２側にはトラック５に搭載された真空吸引装置６が設けられ、この真空吸引装置６はトラック５の走行可能な範囲において移動可能である。
【００１２】
地上２側にはホッパー７が設置され、このホッパー７にダンプカー８等によって搬入された土壌改良材１が供給される。ホッパー７は下部に排出口７ａを備え、この排出口７ａに一端を接続された吸引パイプ９の他端は上記の屋上４に設置された排出タンク３に連結されている。
【００１３】
なお、ダンプカー８等によって輸送された土壌改良材１は上記のホッパー７に収容するほか、適当な大きさの容器等に収容しておき、吸引パイプ９の吸込口を土壌改良材１に接近させるようにしてもよい。
【００１４】
排出タンク３は、図２に示すように、上下空間を分ける仕切板１０が設けられ、該仕切板１０には通孔１１が形成され、吸入パイプ１２は仕切板１０の上方空間に連通される一方、吸引パイプ９は仕切板１０の下方空間に連通されている。
【００１５】
なお、この仕切板１０は、排出タンク３の土壌改良材１が吸入パイプ１２内に吸い込まれるのを防止するために設けられたものであり、トラック５に搭載された後述の真空吸引装置６によって吸い上げられた土壌改良材１は、吸引パイプ９を経て排出タンク３の内壁に当たって落下するようにされている。ただし、土壌改良材１の軽量な粉体は仕切板１０の通孔１１を通過して吸入パイプ１２に流通されるため、後述するように、土壌改良材１の粉体を真空ポンプ２０に吸引しないフィルター構造が真空吸引装置６側に設けられている。
【００１６】
また、排出タンク３の底部には同構造の開閉蓋１３、１３が並設されている。夫々の開閉蓋１３は、図４(b)に示すように、蓋枠１３ａの両側に蝶番１４によって回動自在に設けられた観音開状の側板１５、１５が設けられ、両側の側板１５、１５を均等な閉塞状態に案内する規制板１６が設けられている。このような開閉蓋１３の内部には図４(a)に示す上端開設面と両側面形状が長方形で、且つ正面と背面形状が三角形の下端に向けてＶ字形に上端を開設し、外観を五面体の三角柱形状に形成されたシート体１７が収納され、シート体１７の下端に沿って長方形状に開口１８が形成されると共に、この開口１８の両側から板状のシート弁１９、１９が導下垂設され、両側の側板１５、１５が閉じると、シート弁１９、１９が互いに密着する。
【００１７】
なお、図１に示すように、排出タンク３は下方に空所２１を開けるように載置台２２、２２に搭載され、この排出タンク３の下方にキャリア２３等を待機できるようにしてある。
【００１８】
図２又は図３において、このような開閉蓋１３が排出タンク３の底部に設けられたことにより、後述する真空吸引装置６の作動に応じて排出タンク３内が減圧されると、観音開状の開閉蓋１３の側板が１５、１５が上方に引き上げられてＶ字状に前記内装のシート体１７下端の開口1８を両側から前記シート弁１９、１９が垂下するよう均等に挾持して閉塞する。また、排出タンク３内の減圧が回復すると、前記Ｖ字状に挾持された観音開状の開閉蓋１３の側板１５、１５が自重または開閉蓋１３の上方に蓄積された土壌改良材１の重量によって開閉蓋１３が自動的に開放されて前記シート体１７下端の開口１８部が開かれる。従って、この開閉蓋１３自体には駆動源が不要であり、地上２側に仮設可能にトラック５に搭載された真空吸引装置６の作動に応じて自動的に開閉蓋１３の観音開状の側板１５、１５を開閉することにより前記内装のシート体１７下端の開口８部の開閉を操作することが可能とされている。
【００１９】
また、図３に示すように、開閉蓋１３の開閉動作を補助する補助機構１５Ｈが設けられていることが望ましく、この補助機構１５Ｈは、両側の側板１５、１５の端部に連結されたアーム２５及び両側のアーム２５、２５を連結した連結アーム２５ａを介して両側の開閉蓋１３、１３の動作を均等に行うように構成され、またアーム２５に設けられたシリンダ２４によって開閉蓋１３の開閉動作をより一層確実に付勢するようにできる。
【００２０】
一方、真空吸引装置６は、図１に示すように、トラック５に搭載されて、排出タンク３に近接した地上２等に移動可能とされている。
【００２１】
ここで、前記トラック５に搭載された真空吸引装置６の回路について、図５を参照しながら説明すると、吸込口３０と真空ポンプ２０との間には第１次〜第３次キャッチャー３１、３２、３３が設けられ、夫々のフィルター構造によって真空ポンプ２０で吸引された土壌改良材１の粉塵を濾過して真空ポンプ２０内に吸引しないようにしている。
【００２２】
即ち、吸込口３０は配管３５を介してサイクロン構造の第１次キャッチャー３１に接続され、次いで配管３６を介して第２次キャッチャー３２に接続されている。この第２次キャッチャー３２は所謂水フィルターの構造を有し、内部に設けられたバブリング用パイプ３７の中位まで水３８が収容され、この水３８を通過して吸引されたエアーが配管３９を介して第３次キャッチャー３３内に送給される。
【００２３】
第３次キャッチャー３３の内部にはセパレータ式水切装置４１が設けられ、この第３次キャッチャー３３が配管４２を経て真空ポンプ２０に接続されている。また、第３次キャッチャー３３に隣設して冷却水タンク４３が設けられ、これによって第３次キャッチャー３３内の水３８が冷却されると共に、冷却されたエアーが真空ポンプ２０に吸引される。
【００２４】
なお、図５において、吸引口３０と第１次キャッチャー３１を連結した配管３５にはエアクリーナ４４を介して真空計４５が設けられている。また、第１次キャッチャー３１の上部には負荷開放弁４６が設けられている。また、真空ポンプ２０に連結された配管４２の途中には洗浄コック４７を経て真空安全弁４８が設けられ、真空ポンプ２０自体にはドレンコック４９が設けられている。
【００２５】
さらに、第２次キャッチャー３２を経由して第３次キャッチャー３３に隣設して設けられた冷却水タンク４３には冷却水サブタンク５０が設けられ、この内部の冷却水が真空ポンプ２０の冷却水として供給される。
【００２６】
上記の構成により、図１において、地上２側に仮設可能にトラック５に搭載された真空吸引装置６の作動を開始すると、排出タンク３内が減圧されることにより、図３の開閉蓋１３の観音開状の側板１５、１５がＶ字状に閉ざされ、該開閉蓋１３に内装されたシート体１７下端の開口１８部が前記シート弁１９、１９が垂下するよう閉止すると同時に、更に外力に加えて該排出タンク３内の負圧作用により該垂下のシート弁１９、１９両内面の吸引密着による閉止作用とが相俟ることによって、多少の異物が介在しても安定して排出タンク３内が一定の減圧状態となる。そして、真空ポンプ２０の吸引力が吸入パイプ１２を介して吸引パイプ９に及ぼされ、吸引パイプ９を介して地上２の土壌改良材１を排出タンク３内に吸い上げることができる。
【００２７】
この排出タンク３内においては、上記の動作によって開閉蓋１３の上方内部に吸い上げられた土壌改良材１が蓄積される。
【００２８】
また、排出タンク３内には蓄積された土壌改良材１の蓄積状態を感知するセンサ（不図示）を設けてもよく、このセンサによって排出タンク３内の土壌改良材１が所定量蓄積されたことを感知することができる。
【００２９】
また、排出タンク３の側面に設けられた覗窓３ａによって排出タンク３内の土壌改良材１の量を目視で確認してもよく、いずれにしても所定量の土壌改良材１が排出タンク３内に蓄積された時点で地上２に仮設可能にトラック５に搭載された真空吸引装置６を停止すると、排出タンク３内の減圧が回復するため、開閉蓋１３の自重または土壌改良材１の重量によって開閉蓋１３が開放されることにより、自動的に排出タンク３内の土壌改良材１が下方に排出される。
【００３０】
この開閉蓋１３の下方に排出された土壌改良材１を排出タンク３の下方に待機させておいたキャリア２３等の荷台で受けて、屋上４の所定箇所に搬送することができる。
【００３１】
なお、上記の説明においては、土壌改良材１を地上２から建物の屋上４等の高所へ移送する場合を説明したが、吸入パイプ１２と吸引パイプ９の届く範囲において、または真空吸引装置６の粉体吸引効率が有効に及ぶ範囲において適用可能であり、ダンプカー等の搬送手段の進入不可能な遠隔箇所またはクレーン等が届かない高所又は遠隔箇所への移送にも同様に適用することができる。
【００３２】
【発明の効果】
以上説明したように、本発明によれば、クレーンや仮設エレベータ等によらず、地上側などのトラックが進入可能な目的の場所へ仮設可能にトラックに搭載された真空吸引装置を順次移動させて操作することによって供給された粉体状の土壌改良材を屋上等の高所または遠隔箇所に設けられた排出タンクに吸い上げて蓄積する一方、前記仮設可能にトラックに搭載された真空吸引装置の操作によって排出タンクの開閉蓋を自重で開放することにより、前記トラックに搭載された真空吸引装置を適宜目的の場所に巡回仮設することで、例えば目的の地上側に供給された土壌改良材を屋上等の高所または遠隔箇所等の複数箇所に対して、前記トラックに搭載された最少限の真空吸引装置により無駄なく効率的に移送することが可能となる。
【００３３】
従って、本発明によれば、屋上等の高所又は遠隔箇所に設置された排出タンク側の操作を不要として、前記トラックに搭載された真空吸引装置側の操作によって、排出タンクの開閉蓋の観音開状の側板をＶ字状に閉じ、該開閉蓋に内装されたシート体下端の開口部が前記シート弁が垂下するよう閉止すると同時に、更に外力に加えて該排出タンク内の負圧作用により該垂下のシート弁両内面の吸引密着による閉止作用とが相俟ることによって、大きな開口面積を有しているにもかかわらず、多少の異物が介在しても安定した閉止性が得られることから、供給された土壌改良材を排出タンク内に効率良く吸い込んで貯留すると共に、この貯留した土壌改良材を開閉蓋の自動的開放によって落下させて、屋上等の高所または遠隔地に搬入することが可能となる。
【図面の簡単な説明】
【図１】本発明による土壌改良材の移送装置の全体構成を示す図である。
【図２】本発明による排出タンクの側面図である。
【図３】本発明による排出タンクの図２とは異なる方向から見た側面図である。
【図４】本発明による排出タンクに設けられた開閉蓋の斜視図であり、(a)はそのシート弁を示し、(b) は開閉蓋の構成を示す。
【図５】本発明における真空吸引装置の回路構成を示す図である。
【符号の説明】
１…土壌改良材
２…地上
３…排出タンク
４…屋上
５…トラック
６…真空吸引装置
７…ホッパー
９…吸引パイプ
１２…吸入パイプ
１３…開閉蓋
１５…側板
１７…シート体
１８…開口
１９…シート弁
２０…真空ポンプ
３０…吸込口
【図１】
0004294795.tif 000002
【図２】
0004294795.tif 000003
【図３】
0004294795.tif 000004
【図４】
0004294795.tif 000005
【図５】
0004294795.tif 000006